(57)【要約】【課題】ケース本体内から一度に排出する芯の本数のバラツキを抑えると共に、ケース本体内から芯を容易に排出可能な替芯ケースを提供すること。【解決手段】ケース本体３と、ケース本体３に挿入された蓋固定部材４と、蓋固定部材４に回転自在に係止された蓋体５と、蓋体５を回転することでケース本体２と外部とが連通する芯通路７と、を備え、ケース本体３の内側面に溝部３ｅが形成され、溝部３ｅは、複数の芯２が収容可能に構成されると共に、ケース本体３の内側面３ｆに連接して形成される第一溝３ｅ１と、第一溝３ｅ１に連接し当該第一溝３ｅ１より溝幅を狭く形成した第二溝３ｅ２と、を備え、溝部３ｅの少なくとも第一溝３ｅ１の壁面が円弧状の曲面で形成されると共に、溝部３ｅの曲面の横断面における曲率半径を前記芯２の横断面における曲率半径より大きく形成する。【選択図】図１
2019171801.tif 000002
【特許請求の範囲】
【請求項１】
内部に筆記用の芯を収容するよう袋状に形成されたケース本体と、前記ケース本体に挿入され着脱不能に係止された蓋固定部材と、前記蓋固定部材に回転自在に係止された蓋体と、前記蓋体を回転することで前記ケース本体と外部とが連通する芯通路と、を備えた替芯ケースにおいて、
前記ケース本体の内側面に、当該ケース本体の長手方向に延びる溝部が形成され、
前記溝部は、複数の筆記芯が収容可能に構成されると共に、前記ケース本体の内側面に連接して形成される第一溝と、前記第一溝に連接し当該第一溝より溝幅を狭く形成した第二溝と、を備え、
前記溝部の少なくとも前記第一溝の壁面が円弧状の曲面で形成されると共に、前記曲面の横断面における曲率半径が前記芯の横断面における曲率半径より大きく形成され、
前記蓋体を回転し、前記ケース本体と外部とが連通する前記芯通路が形成された状態で、前記溝部と当該芯通路とが連通するよう構成すると共に、前記溝部に収容された前記芯のみが前記芯通路を通して外部へ排出するよう構成したことを特徴とする替芯ケース。
【請求項２】
前記溝部の第二溝の溝幅を、前記芯の直径よりも大きく、且つ、当該芯の直径の２倍より小さく形成したことを特徴とする請求項１に記載の替芯ケース。
【請求項３】
前記溝部の前記蓋体側の端部に、当該溝部から前記芯通路の内側面へ向って傾斜する傾斜部を設けたことを特徴とする請求項１または２に記載の替芯ケース。
【発明の詳細な説明】
【技術分野】
【０００１】
本発明は、棒状の芯を収納するための替芯ケースに関し、特に一度に排出する芯の本数のバラツキを抑える替芯ケースに関するものである。
【背景技術】
【０００２】
従来からこの種の替芯ケースとして、必要量の芯を排出する技術は知られており、例えば特許文献１には、替芯ケースの本体の上面及び／あるいは側面内側に突壁を設けて、任意に定めた本数の芯が納まる分室を形成し、芯排出時に必要以上の芯は突壁により遮られ、芯出口に芯が入らないよう構成することで、排出する芯の本数を任意に設定可能な替芯ケースが開示されている。
【０００３】
この特許文献１の技術を用いることで、一定以上の割合で排出する芯の本数を安定させることが可能である。しかしながら、特許文献１の構造では、芯排出時に突壁により仕切られた分室内に分けられた芯は同時に排出できるが、そもそも分室に常に定数の芯が分けられるとは限らず、結果的には芯を排出する数にバラツキが発生する可能性があった。また、前記従来の構造では芯排出時に本体を傾けることで本体内の芯を排出することになるが、その際、分室が本体の下方側に位置しているため、本体内の芯の重量は分室の更に最下面にある芯に集中することになる。このため、芯排出時に最下面の芯がケース本体から排出し難く、無理に排出しようと本体を更に傾けることで、排出された芯をつかめずに落下させ、当該芯を破損させてしまう危険性があった。
【０００４】
一方、特許文献２には、芯排出時に替芯ケースの蓋体の尖端部を筆記体等の芯タンクに直接挿入することで、替芯ケースからの芯を掴み損ねて落下させ、芯を破損させることを防止可能な技術が開示されている。
この特許文献２の発明の替芯ケースは、蓋体が回動可能に蓋固定部材に取り付けられ、蓋固定部材を本体（芯が収容されたケース）に装着されおり、蓋体を回動し、蓋体を立てることにより芯出口を開くと共に、蓋体を横に倒すことにより芯出口が閉じる構造になっている。また、蓋体の尖端部に芯出口を形成することで、芯出口が開いた状態で蓋体の尖端部を筆記体等の芯タンクに直接差し込み芯を補充する構成となっている。
【０００５】
しかしながら、特許文献２の構造では、芯を筆記具の芯タンク等に補充する際、蓋固定部材及び蓋体の芯出口を通して、本体内の芯を外部へ排出しており、蓋固定部材及び蓋体の芯出口の大きさで一度に排出させる本数が決まる構造となっている。このため、芯出口付近の芯の配置によっては芯が芯出口の端部に引っ掛かり、芯出口に入れないことで、１回の芯排出動作における芯の排出本数が安定しなくなると共に、芯出口にいた芯の排出が終わったあとに、そのまま替芯ケースを傾けた状態にしていると、他の芯が芯出口に入ることで、次々と芯が排出されてしまう虞があり、これも芯の排出本数が安定しない要因となる虞があった。
【先行技術文献】
【特許文献】
【０００６】
【特許文献１】実公昭５９−１６２３０号公報
【特許文献２】特開２００８−０４４２９０号公報
【発明の概要】
【発明が解決しようとする課題】
【０００７】
本発明は、前記問題を鑑みてなされたものであって、ケース本体内から一度に排出する芯の本数のバラツキを抑えると共に、ケース本体内から芯を容易に排出可能な替芯ケースを提供することを目的とした。
【課題を解決するための手段】
【０００８】
本発明は、
「１．内部に筆記用の芯を収容するよう袋状に形成されたケース本体と、前記ケース本体に挿入され着脱不能に係止された蓋固定部材と、前記蓋固定部材に回転自在に係止された蓋体と、前記蓋体を回転することで前記ケース本体と外部とが連通する芯通路と、を備えた替芯ケースにおいて、
前記ケース本体の内側面に、当該ケース本体の長手方向に延びる溝部が形成され、
前記溝部は、複数の芯が収容可能に構成されると共に、前記ケース本体の内側面に連接して形成される第一溝と、前記第一溝に連接し当該第一溝より溝幅を狭く形成した第二溝と、を備え、
前記溝部の少なくとも前記第一溝の壁面が円弧状の曲面で形成されると共に、前記曲面の横断面における曲率半径が前記芯の横断面における曲率半径より大きく形成され、
前記蓋体を回転し、前記ケース本体と外部とが連通する前記芯通路が形成された状態で、前記溝部と当該芯通路とが連通するよう構成すると共に、前記溝部に収容された前記芯のみが前記芯通路を通して外部へ排出するよう構成したことを特徴とする替芯ケース。
２．前記溝部の第二溝の溝幅を、前記芯の直径よりも大きく、且つ、当該芯の直径の２倍より小さく形成したことを特徴とする前記１項に記載の替芯ケース。
３．前記溝部の前記蓋体側の端部に、当該溝部から前記芯通路の内側面へ向って傾斜する傾斜部を設けたことを特徴とする前記１項または２項に記載の替芯ケース。」である。
尚、前記筆記芯の横断面とは、芯の長手方向に対して直交方向の断面を示しており、前記曲面の横断面とは、ケース本体の溝部の長手方向に対して直交方向の断面を指す。
【０００９】
本発明によれば、蓋体を回転することでケース本体と外部とが連通する芯通路が形成され、その状態でケース本体の内側面に形成した溝部に収容されている芯を芯通路を通して外部へ排出することができる。また、本発明における溝部は、第一溝と当該第一溝に連接される第二溝とで構成してあり、第一溝の溝幅より第二溝の溝幅を狭く形成してあるため、深部へ向って狭くなるよう構成される。そのため、芯は深部から順に積み重なることで溝部に収容される芯の本数が安定し易い効果を奏する。
更に、溝部のうち、少なくとも第一溝の壁面を円弧状の曲面で形成し、当該曲面の曲率半径をを芯ケース内に収納される芯の曲率半径より大きく形成することで、横断面から視た場合、芯と溝部の曲面との当接が複数個所にならないよう構成される。このため、溝部との接触箇所が減ることで溝部に収納された芯が芯通路から排出し易くすくすることができる。そして、溝部は第一溝と第二溝との溝幅が異なる段状に形成しているため、芯と溝部及びその上に重ねられた芯の重みを第二溝にいる最深部の芯に集中させることなく、段部に芯が当接することで複数の芯に分散することができ、芯を排出する際、芯が滑り易くなることで芯が溝部内に残留してしまうことを防止できる。
【００１０】
また、溝部の第二溝の溝幅を、芯の直径よりも大きく、且つ、芯の直径の２倍より小さく形成することが好ましく、この場合、溝部の最深部に芯が並列に並ばなくなり、芯が１本のみ配置されるため、最深部の芯がガイドとなることで上に積まれる芯の位置が安定し、最終的に溝に収納される芯の本数を安定化させることができる。
【００１１】
更に、ケース本体の溝部の前記蓋体側端部に、当該溝部から芯通路の内側面に向って傾斜する傾斜部を設けることが好ましく、この場合、排出しすぎた芯を替芯ケース内に戻す際に、溝部の端部に引っ掛かることを防止でき、溝部内へ芯が戻りやすくすることができる。尚、傾斜部の傾斜角度は芯が自然に溝部内に誘導されるようケース本体の長手方向に対して６０°以下で形成することが好ましく、また、傾きが緩やか過ぎると傾斜部の長手方向の長さが長くなり、替芯ケース内に収めることが困難になるため、傾斜角度を３０°以上で形成することが好ましい。
【発明の効果】
【００１２】
本発明により、ケース本体内から一度に排出する芯の本数のバラツキを抑えると共に、ケース本体内から芯を容易に排出可能な替芯ケースを提供することができた。
【図面の簡単な説明】
【００１３】
【図１】実施例１の替芯ケースの正面図である。
【図２】図１の替芯ケースの縦断面図である。
【図３】図２におけるＡ−Ａ線断面図であり、要部を拡大した図である。
【図４】図２におけるＢ−Ｂ線拡大断面図である。
【図５】蓋固定部材の拡大正面図である。
【図６】蓋体の拡大正面図であり、図６（Ａ）は蓋体の拡大正面図を示し、図６（Ｂ）は蓋体の拡大下面図を示している。
【図７】図３の状態から蓋体を回転して芯通路を形成した状態を示す縦断面図である。
【図８】図７におけるＣ−Ｃ線断面図である。
【図９】図７の状態から芯を排出する動作を説明するための説明図である。
【図１０】図９におけるＤ−Ｄ線拡大断面図である。
【図１１】図９の状態から芯を排出する動作を説明するための説明図である。
【００１４】
次に図面を参照しながら、本発明の替芯ケースをシャープペンシル用の替芯ケースを用いて詳細に説明するが、本発明は以下の実施例に限定されるものではない。
また、替芯ケースのケース本体に対して、蓋体がある方向を上方と表現し、その反対方向を下方と表現すると共に、ケース本体の蓋固定部材を嵌合する取付孔がある面を表面と表現し、その反対面を裏面と表現する。
尚、説明を分かりやすくするために、図面中の同様の部材、同様の部分については同じ符号を付してある。
【００１５】
実施例１
本実施例の替芯ケース１は、図１から図６に示すように、内部にシャープペンシル用の芯２を収納可能な芯収納部３ａを備えたケース本体３と、ケース本体３の上部開口部に装着された蓋固定部材４と、蓋固定部材４に回転自在に装着された蓋体５と、で構成してある。
【００１６】
ケース本体３は、図１から図４に示すように、透明なＡＳ樹脂を用いて射出成形により形成してあり、内部が透視できるようにしてある。また、ケース本体３の形状としては、上部が開口した箱状に形成してあり、ケース本体３の上端は、側壁が切り欠かれて表壁３ｂと裏壁３ｃの上方が適宜弾性変形可能に構成してある。また、ケース本体３の表壁３ｂの上部には、表壁内面３ｊまで貫通する取付孔３ｄが形成してある。
【００１７】
更に、ケース本体３の側壁内面３ｆ（内側面）には、当該ケース本体３の長手方向に沿って延び、凹状に形成された溝部３ｅが形成されており、溝部３ｅは幅の異なる２つの溝（第一溝３ｅ１、第二溝３ｅ２）を繋げて形成してあり、第一溝３ｅ１はケース本体３の側壁内面３ｆ（内側面）に連接するように形成し、第二溝３ｅ２は第一溝３ｅ１に連接して形成してある。そして、第一溝３ｅ１及び第二溝３ｅ２は壁面が円弧状の曲面で形成すると共に第二溝３ｅ２より第一溝３ｅ１の溝幅を大きく形成してある。これにより溝部３ｅは最深部へ向って狭くなる段状に構成される。また、溝部３ｅの最深部になる第二溝３ｅ２には、芯２が１本のみ入り、並列に並ばないよう構成するこが好ましく、これにより、最深部に収まった芯２が上に積まれる隣芯のガイドとなることで、溝部３ｅ内に並ぶ芯２の本数を安定化させることができる。このため、第二溝３ｅ２の溝幅（最大幅）は芯２の直径よりも大きく、且つ、芯の直径の２倍より小さく形成することが好ましい。更に、図３に示すように、第一溝３ｅ１及び第二溝３ｅ２のケース本体３の横断面における曲率半径はは芯２の曲率半径より大きくなるよう形成してあり、横断面で見たときに同曲率面において芯２が２箇所以上に当接しないように構成することで、溝部３ｅと芯２との間に生ずる摩擦抵抗を小さくして芯２が溝部３ｅ内で滑りやすくしてある
尚、具体的に本実施例では、シャープペンシル用の芯２の直径を０．５８ｍｍ（ＪＩＳＳ６０１３：２０１５におけるシャープペンシル用の芯の表示直径０．５）、第一溝３ｅ１の最大幅を１．２１ｍｍ、第二溝３ｅ２の最大幅を０．７４ｍｍ（芯２の直径の１．２８倍）で形成し、芯２の曲率半径０．２９ｍｍに対して第一溝３ｅ１の曲率半径を０．６ｍｍ、第二溝３ｅ２の曲率半径を０．３８ｍｍで形成した。
【００１８】
また、シャープペンシル用の芯のような細くて軽い芯の場合、溝部３ｅの表面に静電気が発生すると芯２が溝部３ｅの表面に吸い付くことで当該芯２が溝部３ｅ内を滑り難くなるため、静電防止効果のある樹脂材料でケース本体３を形成、または、静電防止剤をケース本体３内面に塗布することが好ましい。
尚、芯２と溝部３ｅとの滑り性を向上させる手段としては、ケース本体３を潤滑性の高い樹脂材料で形成してもよく、二硫化モリブデン、二硫化タングステン、グラファイト、タルク、ＰＴＦＥなどの固形潤滑剤を溝部３ｅに塗布することで潤滑性を向上させても良い。
【００１９】
また、溝部３ｅにおけるケース本体３の上部開口側の端部には、溝部３ｅから連接し上部側壁内面３ｋに向って延びる傾斜部３ｇ（第一の傾斜部）が形成してある。この傾斜部３ｇ（第一の傾斜部）を形成することにより、排出しすぎた芯を替芯ケース１内に戻す際に、溝部３ｅの端部に引っ掛かること防止することができる。
更に、傾斜部３ｇ（第一の傾斜部）の傾斜角度は、傾きが緩やか過ぎると傾斜部３ｇの長さが長くなり替芯ケース１内に収めることが困難になるため、傾斜角度を３０°以上で形成することが好ましく、更に、傾斜角度は、傾きが急すぎると芯２が傾斜部３ｇに引っ掛かるため、６０°以下に形成することが好ましい。
尚、本実施例では傾斜部３ｇの傾斜角度をケース本体３の長手方向に対して４５°で形成することで芯が自重で溝部３ｅに誘導されるよう構成した。
【００２０】
更に、図４及び図８に示すように、ケース本体３の溝部３ｅの上方には長手方向へ延び内方へ向って突出した内突部３ｈが形成してあり、内突部３ｈの上端（端部）には表壁内面３ｊに向って傾斜する内突傾斜部３ｉを形成してある。
尚、内突傾斜部３ｉ（第二の傾斜部）の傾斜角度は、傾斜部３ｇ（第一の傾斜部）と同様な理由で、ケース本体３の長手方向に対して４５°で形成してある。
【００２１】
次に、蓋固定部材４は、ＰＯＭ樹脂を用いて射出成形により形成してあり、図２及び図５に示すように、板状の基部４ａと、基部４ａの側端上部から側方へ向って突出する支持アーム部４ｂと、で構成してある。
また、この支持アーム部４ｂには、図２及び図５で視たときに、下半分が半円状で、上半分が右縁が垂直で左縁が傾斜されかつ上縁が平坦となる台形状の取付穴４ｃが形成してある。更に、取付穴４ｃの略中心を横切る直線状の切溝４ｄが上部の右側より形成されて、取付穴４ｃを適宜拡開可能に構成してある。更に、蓋固定部材４の支持アーム部４ｂには、表面に平坦部を有する略円形の突起４ｅを形成してある。
【００２２】
更に、蓋固定部材４の基部４ａの側端（図５における右側）には側出部４ｆが形成され、側出部４ｆがケース本体３の上部側壁内面３ｋに当接することで横方向の位置合わせをしてある。
また、蓋固定部材４の下端部には側出部４ｆの下端から連接するように形成された下端傾斜部４ｇ（第三の傾斜部）が形成してあり、その傾斜角度は、図２のように蓋固定部材４をケース本体３内に装着した状態において、他の傾斜部と同様にケース本体３の長手方向に対して３０°〜６０°の間に形成することが好ましく、本実施例では、４５°で形成してある。尚、その効果に関しては後述する。
【００２３】
蓋体５は、ＡＢＳ樹脂を用いて射出成形により形成してあり、図６（Ａ）及び図６（Ｂ）に示すように、蓋体５の中央には裏板部５ａより表方向に隆起する断面非円形の回転軸５ｂと上板部５ｃを形成してあり、上板部５ｃの表側端部から下方へ向って隆起する表板部５ｄを形成してある。そして、回転軸５ｂの断面は、右下方半分が半円形で左上方半分が略山形（図６（Ａ）参照）に形成してあり、蓋体５の左端の尖端部５ｅには断面コ字形の芯排出口５ｆが形成される。また、蓋体５の右端は半円形に形成され、その縁には裏板部５ａより表方向に適宜の幅の隆起部５ｇが形成してある。更に、隆起部５ｇと上板部５ｃとの間には断面コ字形に形成され、且つ、前記芯排出口５ｆと直線上に合致した芯連絡口５ｈを形成してある。
【００２４】
また、図６（Ｂ）に示すように、表板部５ｄの右端には、内方へ向って傾斜する表板傾斜部５ｉ（第四の傾斜部）を形成してあり、表板傾斜部５ｉ（第四の傾斜部）により、芯排出時に芯連絡口５ｈから芯排出口５ｆを芯２が通過させる際に、芯２の進行方向に傾きが生じても、表板傾斜部５ｉにより芯排出口５ｆ側に芯２を誘導することで、芯２が蓋体５内を通過し易くなるよう構成してある。
更に、図６（Ａ）に示すように、連絡口５ｈにおける隆起部５ｇの芯排出口５ｆ側の端部には連絡口傾斜部５ｊ（第五の傾斜部）を形成してあり、連絡口傾斜部５ｊ（第五の傾斜部）により、芯２を芯排出口５ｆから芯連絡口５ｈを通してケース本体３内の芯収納部３ａに戻す際、芯連絡口５ｈに引っ掛かることを防止して、芯２が蓋体５内を通過し易くなるよう構成してある。
【００２５】
そして、蓋固定部材４及び蓋体５をケース本体３に装着することで、図２、図４及び図８に示すように、蓋固定部材４の側出部４ｆの側面とケース本体３の上部側壁内面３ｋ及び内突部３ｈとの間に開口穴６が形成され、開口穴６はケース本体３の溝部３ｅと直線上に合致し、溝部３ｅに収まった芯であれば芯排出時に溝部３ｅから開口穴６へ芯２が移動可能に形成してある。
尚、前述したように、傾斜部３ｇは、溝部３ｅの端部から上部側壁内面３ｋに向って延びるように形成してあるため、開口穴６と溝部３ｅとが傾斜部３ｇで繋がり、開口穴６と溝部３ｅとの間に芯２の行き来をスムーズにすることができる。
【００２６】
以上に説明した構成により、蓋体５の回転軸５ｂが蓋固定部材４の取付穴４ｃに嵌め込まれ、蓋体５の回転軸５ｂの略山形の頂部が蓋固定部材４の取付穴４ｃに形成された平坦な上縁により押圧されて左側に傾き、開口穴６が蓋体５の隆起部５ｇによって閉じられている。また、蓋体５の隆起部５ｇによって蓋固定部材４の取付穴４ｃを横切る切溝４ｄを覆って構成される。この状態で蓋固定部材４をケース本体３の上方より挿入し、蓋固定部材４の突起４ｅをケース本体３の取付孔３ｄに嵌合させる。尚、蓋固定部材４の突起４ｅをケース本体３の取付孔３ｄに嵌合する際、ケース本体３の表壁３ｂと裏壁３ｃに形成される上片が弾性変形することで蓋固定部材４は容易にケース本体３内に挿入される。更に、ケース本体３内には複数の芯２が収納され、替芯ケース１が構成される。
【００２７】
次に、図２及び図７から図１１を用いて、替芯ケース１のケース本体３内から芯２を排出する動作を説明する。
図２の状態から、替芯ケース１より芯２を排出する為には、蓋体５の右端に形成された尖端部５ｅを指で操作して蓋体５を持ち上げ、蓋体５を回転軸５ｂで回転させる。すると、蓋体５の回転軸５ｂに形成した略山形の頂部が蓋固定部材４の取付穴４ｃに形成された平坦な上縁を押し上げて取付穴４ｃを拡開する。そして、回転軸５ｂの頂部が右側に傾くと、取付穴４ｃが閉じようとする為に蓋体５は自動的に立ち上がり、蓋体５の隆起部５ｇが蓋固定部材４の基部４ａと支持アーム部４ｂとの境に形成されたストッパー部４ｈに当接して、蓋体５が立ち上がった状態で停止する。これにより、開口穴６と蓋体５の連絡口５ｈが合致すると共に、蓋体５の芯排出口５ｆ、芯連絡口５ｈ、開口穴６が直線上に合致して芯収納部３ａと外部とを繋ぐ芯通路７が形成され、溝部３ｅにある芯２が芯通路７を通して複数本づつ（本実施例では３本）通過可能な図７及び図８の状態となる。尚、この際、芯通路７とケース本体３の側壁内面３ｆ（内側面）に形成した溝部３ｅも同様に直線上に合致した状態となる。
【００２８】
芯通路７が形成された図７及び図８の状態で、図９のようにケース本体３の溝部３ｅを下側にして把持すると、ケース本体３の芯収納部３ａ内の芯２が溝部３ｅに集まり一部が溝部３ｅ内に収容される。この際、溝部３ｅの最深部を芯１本のみが並ぶよう溝幅を狭く形成してあるため、芯２は図１０のように、最深部から浅部に向って順番に綺麗に並んだ状態となる。そして、図１１に示すように、溝部３ｅに入った芯２（本実施例では３本）が開口穴６から芯通路７に入り、蓋体５の芯連絡口５ｈと芯排出口５ｆを通って排出される。また、芯排出時に、蓋体５の尖端部５ｅをシャープペンシル（図示せず）の芯タンクに直接差し込み、替芯ケース１の上部を下方に向ければ替芯ケース１のケース本体３内に収納された芯２が複数本（本実施例では３本）落下し、芯タンク内に収納することができる。
尚、前述したように、芯２が芯通路７における蓋体５内を通過する際、芯２の進行方向に傾きが生じても、表板傾斜部５ｉ（第四の傾斜部）により芯排出口５ｆ側に芯２を誘導することで、芯２が蓋体５内を通過し易くなる構成している。このため、蓋体５内をスムーズに通過して芯２を排出できた。
【００２９】
尚、図１０のように、溝部３ｅに芯２が入った状態では、溝部３ｅの最深部（第二溝３ｅ２）の芯２に重ねられる隣芯は第一溝３ｅ１の円弧状の曲面に支えられ、最深部の芯２に他の芯の重量が集中的に掛かることなく重量が複数の芯に分散される。このため、芯が溝部３ｅから滑る際に溝部３ｅ内で滑り難くなる事を防止できた。
また、芯２を芯排出口５ｆから排出する際、蓋固定部材４とケース本体３との間に形成される開口穴６に入らなかった芯収納部３ａ内の芯は、蓋固定部材４の下端に形成した下端傾斜部４ｇ（第三の傾斜部）により、図１１のように、芯保留部４ｉ側に誘導される。このため、溝部３ｅ内の芯を排出し終えても、芯保留部４ｉにある芯は下端傾斜部４ｇを乗り越えることがないため、替芯ケース１を傾けたままにしても次の芯が溝部３ｅに入り芯通路７を通って外部に排出されることを防止できる。尚、この際、下端傾斜部４ｇにより溝部３ｅ内の芯２に重なっている芯収納部３ａ内の芯が芯保留部４ｉ側に誘導されることで、溝部３ｅ内の芯２に掛かる芯収納部３ａ内の芯による荷重が減り、溝部３ｅ内の芯２の芯通路７内への移動がよりスムーズに行うことができるものとなった。
【００３０】
また、芯２を替芯ケース１から一度取り出した後にその一部もしくは全部をケース本体３内の芯収納部３ａに戻したくなった場合、芯通路７が形成された図６の状態で、芯２を芯排出口５ｆから挿入して戻すことになるが、図８に示すように、芯通路７が狭くなる部分（一度広がってから元の大きさに戻る部分を含む）には傾斜部（傾斜部３ｇ、内突傾斜部３ｉ、連絡口傾斜部３ｊ）を形成することで、芯２が芯通路７を通して溝部３ｅ内に入り、当該芯２をケース本体３内に戻し易くなるよう構成してある。
【００３１】
尚、本発明は上記実施例に限定されるものではなく、収納する芯の外径に合わせて溝部３ｅの大きさを調整することで、当該溝部３ｅに一度に収容される芯の本数を任意に変更することが可能である。
【産業上の利用可能性】
【００３２】
本発明の替芯ケースは、シャープペンシル用の替芯ケースだけでなく、他の筆記具の替芯用のケースとしても使用可能であり、更に、楊枝、縫い針等のような丸棒材の収納用ケースとしても広く使用可能である。
【符号の説明】
【００３３】
１…替芯ケース、
２…芯、
３…ケース本体、３ａ…芯収納部、３ｂ…表壁、３ｃ…裏壁、３ｄ…取付孔、
３ｅ…溝部（３ｅ１…第一溝、３ｅ２…第二溝）、３ｆ…側壁内面（内側面）、
３ｇ…傾斜部（第一の傾斜部）、３ｈ…内突部、３ｉ…内突傾斜部（第二の傾斜部）、
３ｊ…表壁内面、３ｋ…上部側壁内面、
４…蓋固定部材、４ａ…基部、４ｂ…支持アーム部、４ｃ…取付穴、
４ｄ…切溝、４ｅ…突起、４ｆ…側出部、４ｇ…下端傾斜部（第三の傾斜部）、
４ｈ…ストッパー部、４ｉ…芯保留部、
５…蓋体、５ａ…裏板部、５ｂ…回転軸、５ｃ…上板部、５ｄ…表板部、
５ｅ…尖端部、５ｆ…芯排出口、５ｇ…隆起部、５ｈ…芯連絡口、
５ｉ…表板傾斜部（第四の傾斜部）、５ｊ…連絡口傾斜部（第五の傾斜部）、
６…開口穴、
７…芯通路。
【図１】
2019171801.tif 000003
【図２】
2019171801.tif 000004
【図３】
2019171801.tif 000005
【図４】
2019171801.tif 000006
【図５】
2019171801.tif 000007
【図６】
2019171801.tif 000008
【図７】
2019171801.tif 000009
【図８】
2019171801.tif 000010
【図９】
2019171801.tif 000011
【図１０】
2019171801.tif 000012
【図１１】
2019171801.tif 000013